(57)【要約】【課題】化石燃料、核燃料の使用を控えた脱炭素化時代に向けた水への応用技術拡大を図り主要な燃焼機械を自然エネルギーに転換し電気化社会の未来を構築する。【解決手段】タンク１に溜まる水中エネルギーの静圧力と水中に取り込んだ大気圧を異口径ピストン５・６の表面積の違い（比率）を利用し起動した揚水をタンク１上部の発電機２１の稼働後にタンク１に還元し、排水は汲み上げポンプ４Ｂの駆動後にタンク１に還元し１００％の水量を保持する。【選択図】  図２
2017133363.tif 000002
【特許請求の範囲】
【請求項１】
上部開放のタンク１に溜まる水中エネルギーを動力源とした静圧力域にアーム７連結の異口径、メーンピストン５・５Ａと背面ピストン６・６Ａ、及び油圧ポンプ８を装置し、油圧ポンプ８本体と固定軸３７は不動で、油圧ピストン８Ａと油圧ロッド２８・２８Ａと油圧ポンプ連動枠３０は一体に連動し、メーンピストン５・５Ａのピストンヘッド９・９Ａに因って油圧ロッド２８・２８Ａを往復起動し、油圧媒体で操作ピストン２４・２４Ａと揚水切換弁１２・１２Ａと大気圧開閉弁１９左路・右路を動作して、揚水切換弁１２・１２Ａに因る揚水道１３・１３Ａの揚水と水圧均衡路１１・１１Ａの均衡を交互に変えて、メーンピストン５・５Ａ背面ピストン６・６Ａを往復運動に変換し、メーンピストン５・５Ａに生じた揚水圧力の７５％は揚水パイプ１５を通じてタンク１天板１Ａ上部のタービン２０を駆動し、発電機２１の稼働後にタンク１に環流するとともに、背面ピストン６・６Ａの残水は大気圧開閉弁１９に因る排水を下り勾配の排水管３４を通じてタンク１外部に放出し、排水槽３Ａに溜めて、揚水圧力の２５％で揚水パイプ１５に装備した揚水タービン４を起動し、排水をタンク１に還元して、水量の１００％を保持し水の循環に基づいて、発電機２１の稼働を持続するタンク水中圧力原動機。
【請求項２】
請求項１に記載のタンク水中圧力原動機に係る排水の回収に、異口径ピストンを機軸にした、メーンピストン５・５Ａおよび背面ピストン６・６Ａに生じる動力に因って稼働する発電機２１の電力を活用して、電動揚水ポンプ４Ｄを起動し排水をタンク１に還元して、水量を保持し水の循環に基づいて、発電機２１の稼働を持続するタンク水中圧力原動機。
【発明の詳細な説明】
【技術分野】
【０００１】
本発明は、各地域に水面開放のタンク１を設置して、水中エネルギーの静圧力と水中に取り込んだ大気圧力を公知技術の異口径ピストンを機械構成の機軸とし、更に進歩した持続可能な水の循環を創出する水中圧力原動機の提供である。
【背景技術】
【０００２】
該、タンク水中圧力原動機は、本人出願の水槽水圧力原動機、特開２０１５−２５３９１号公報に係る改良に関する。
【０００３】
川を堰止める水力発電は流域の自然環境、海浜への影響など将来的にダムに代わる発電技術には期待がかかる、しかし水の活用においては小型水力、海洋の波力や温度差発電といった既存技術において、火力発電、原子力発電を代替するほどの進展は見られず、そうした再生可能エネルギーへの一層の技術革新が求められる。
【０００４】
本人出願の水槽水圧力原動機は、エネルギー密度の高い圧力と、恒常的に安定した水深圧力を動力源にしており、大気圧と水圧の差圧を異口径ピストンに接触させ、往復運動に変換して揚水圧力を動力に活用し、排水を大気中に放流し上流の水を水槽に補給するもので、再生可能エネルギー開発に新しい道筋を開いている。
【先行技術文献】
【特許文献】
【０００５】
【特許文献１】特開２０１５−２５３９１号公報  文献１は、水槽水面を大気圧に開放した同じ異口径ピストン５・６を機械構成の機軸にしているものの排水を大気中に放流しており、上流の水の補給がないと止まってしまう。
【特許文献２】特開２０１３−１００８０３号公報                  登録実用新案第３０９２７０４号公報                  実願平１−１３５４９８（実開平３−７３６７７）のマイクロフイルム                  欧州特許出願公開第１６５０４３０号明細書  上記文献２は、何れも位置エネルギーの動力を利用した揚水に係る技術であり、水の汲み上げに出力の概ね１３０％の動力（電力）を要することが分かっており、限定した水量のタンクでは持続可能な動力として成立しない。
【発明の概要】
【発明が解決しようとする課題】
【０００６】
世界人口の増加とともに、産業拡大、火力発電、自動車普及、森林伐採、異常気象、結果として増加が続く二酸化炭素（ＣＯ２）「削減をどのように実施」するのか、地球規模に課題を呈しており、水の資源大国、日本は新しい産業立国の時代に入った。
【０００７】
石油石炭ＬＮＧ、燃焼を抑制して、それに頼らない水力に因る電気化社会が理想的、ゆえに公知技術、水の電気分解に因る水素生産は燃料電池の糧とした排気ガスゼロ社会へのひとつの課題として水には開発の余力がある。
【０００８】
有望なひとつはタンク１の水を活用した分散電源を各地に設置して電気化社会の実現に向けた施設が期待され、水中エネルギーを機械構成の機軸として異口径ピストン５・６の生み出す常時安定した動力源が求められる。
【０００９】
水中エネルギーは化石燃料、核燃料を代替するのに十分な広域性を有しており、水中圧力を交えた大気圧下の環境において、原動機の創造は急務となってきた。
【課題を解決するための手段】
【００１０】
水タンク１を住宅や工場など地域社会の電源に使用するが、電気コンセント等の施設の多様化を図るものでタンク１高さ５メートルの水面１Ｂを大気圧に開放３２して、上水道２等によって満水にしたあとタンク１底部の水圧約０．５ｋｇｆ／ｃｍ２を保持しメーンピストン５・５Ａと背面ピストン６・６Ａ及び油圧ポンプ８等をタンク１内部に装置する。
【００１１】
タンク１内部の水圧と、外部大気圧を異口径のメーンピストン５・５Ａと背面ピストン６・６Ａの表面積の違い（比率）に生じる差圧を利用して、揚水と排水に分流するが、大口径のメーンピストン５の断面積４８００ｃｍ２（表面積５０００ｃｍ２）をタンク１の水圧と接触し、小口径の背面ピストン６断面積２００ｃｍ２は大気圧と接触して低い大気圧方向へ必然の動きとして圧力がかかる。
【００１２】
メーンピストン５と背面ピストン６の断面積は２４対１の比率であり、長さ１メートルのストロークを要する一体物で、対向するメーンピストン５と５Ａはアーム７によって連結し動きを同一にして、それぞれの間には機器操作に要る不動の油圧ポンプ８と固定軸３７をピストン架台（図示省略）に装備して、メーンピストン５・５Ａのピストンヘッド９・９Ａによって油圧ピストン８Ａを起動し媒体４２は操作ピストン２４・２４Ａを動作して、揚水切換弁１２・１２Ａに因る揚水道１３・１３Ａと水圧均衡路１１・１１Ａ及び大気圧開閉弁１９左路・右路を変換するようになっている。
【００１３】
異口径ピストンを沈めた５メートル水圧０．５ｋｇｆ／ｃｍ２において、メーンピストン５・５Ａ表面積５０００ｃｍ２は２５００ｋｇｆ／ｃｍ２の水圧を受けて、タンク１の外の大気圧方向に押す力が働き、片方の背面ピストン６・６Ａの断面積は大気圧との接触によって水圧０．５ｋｇｆ／ｃｍ２×断面積２００ｃｍ２≒１００ｋｇｆ／ｃｍ２の圧力を生じることになる。
【００１４】
しかし背面ピストン６・６Ａの残水を大気圧開閉弁１９の外に押し出すには、メーンピストン５・５Ａと同じ歩調の動作になり、先が大気圧のために動力としてではなく、空滑りの動作であって圧力は一体に連動しているメーンピストン５・５Ａ断面積４８００ｃｍ２×ストローク１００ｃｍ＝４８００００ｃｍ３の水に移動し圧力水としてメーンシリンダ１６・１６Ａに残る。
【００１５】
メーンピストン５・５Ａの裏面１６・１６Ａに残っている移動した圧力水４８００００ｃｍ３をメーンシリンダ１６・１６Ａの「外部に開放しない限り動力は発生しないのであり」、ピストンケーシング１０側面の揚水路１４・１４Ａから揚水切換弁１２・１２Ａの揚水道１３・１３Ａを経て揚水パイプ１５により揚水タービン４とタンク１上部に装置したタービン２０を駆動して発電機２１を稼働したあと、タンク１水面１Ｂに還元するように成る。
【００１６】
メーンピストン５・５Ａの容量４８００００ｃｍ３の水は、背面ピストン６・６Ａ断面積２００ｃｍ２×ストローク１００ｃｍ＝２００００ｃｍ３の２４倍を容しており、液体圧力の伝播に関する法則（パスカル原理）によりメーンピストン５・５Ａに生じる水圧力は２４分の１に減少した４．１６ｋｇｆ／ｃｍ２（揚水能力約４１メートル）となり革新を形成する。
【００１７】
上記によって、一方の背面ピストン６・６Ａの残水一工程２００００ｃｍ３の水は背面ピストン頭部１８・１８Ａに接続した大気排水パイプ１７・１７Ａから大気圧開閉弁１９を通りぬけて、排水管３４を下り勾配の自然排水により放出するが、排水はタンク１外部の排水槽３Ａに一旦溜めるようになる。
【００１８】
外の排水槽３Ａの水は、揚水パイプ１５に装備した汲み上げ用の揚水タービン４の駆動に位置エネルギー以外の水中圧力を使用するが、当発明の異口径ピストンを機軸にした、メーンピストン５・５Ａおよび背面ピストン６・６Ａに生じる動力、「揚水圧力約４．１６ｋｇｆ／ｃｍ２の２５％とした場合は１．０４ｋｇｆ／ｃｍ２（揚水能力約１０メートル）」を回転軸４Ａに連係した汲み上げポンプ４Ｂで吸水パイプ４Ｃから排水汲み上げパイプ３によりタンク１水面１Ｂに還元しタンク１の水量を保持するようになり、揚水タービン４を駆動した後の動力は３．１２ｋｇｆ／ｃｍ２揚水圧力７５％に減少して、発電機２１の出力は約２．３４ｋｗ／ｈに低下する。なお、水圧の高い汲み上げパイプ３をタンク１水面１Ｂではなくタンク壁１Ｃを貫通して０．５ｋｇｆ／ｃｍ２の水圧に注入してもよい。
【００１９】
本発明第２は、排水槽３Ａの水を当発明の異口径ピストンを機軸にした、メーンピストン５・５Ａおよび背面ピストン６・６Ａに生じる動力に因って稼働する発電機２１の電力を使って汲み上げるもので、「出力約３．１ｋｗ／ｈの２５％とした場合は７８０ｗ／ｈ（揚程約１０メートル）」の電動揚水ポンプ４Ｄを使用して、汲み上げパイプ３によりタンク１水面１Ｂに還元しタンク１の水量を保持するようになり、電動揚水ポンプ４Ｄの駆動後は電力が減少し約２．３２ｋｗ／ｈに低下する。なお、タンク壁１Ｃを貫通して０．５ｋｇｆ／ｃｍ２の水圧に注入してもよい。
【００２０】
他方、左側は反対の動きになる、即ちメーンピストン５背面ピストン６の上死点到達のあと、揚水切換弁１２と大気圧開閉弁１９左路が閉じた揚水後のメーンピストン裏面２２と背面ピストン表面２３の絶え間においては容積が減少し、同時に圧力は消滅して水中圧力とは概ね同じ０．５ｋｇｆ／ｃｍ２の差圧を生じており、補填に要する水中圧力を浸入口３３から既に開いた揚水切換弁１２によって、均衡路１１と揚水路１４（揚水時と逆方向）を通じて前記メーンピストン裏面２２と背面ピストン表面２３に取り入れ、ピストン５・６を「復帰方向に動作」して下死点到達時に水圧と均衡するようになる。「水中圧力は異口径ピストンの水深を指す」
【発明の効果】
【００２１】
異口径メーンピストン５・背面ピストン６を機軸とした大気圧と水中圧力の差圧に生じる揚水と排水を回収し、タンク１の水量を保持して、水の循環と動力の創造を実現しており、二酸化炭素削減とともに持続可能なエネルギー社会を構築する。
【図面の簡単な説明】
【００２２】
【図１】タンク１設置状況の概観図
【図２】タンク１断面及びピストン部の断面。
【図３】メーンピストン５・背面ピストン６の動作中の断面。
【図４】タンク１断面及び電動汲み上げ部を示す図。
【図５】揚水切換弁１２拡大図。
【図６】油圧ポンプ８拡大図。
【発明を実施するための形態】
【００２３】
水中圧力を動力に変換する陸上形式の装置であって、タンク１に上水道２等の水を一旦溜め置き、「異口径メーンピストン５・５Ａ、背面ピストン６・６Ａの圧力比率を分流」して揚水し、排水を当発明の装置に生じる動力（電力）の一部で回収して、「人工の動力を加えることなく」タンク１に一度確保した水量を保持し循環して動力を得るもので、水中エネルギーを応用している、即ちタンク１水面を大気圧に開放した水圧下の異口径ピストンの揚水圧力２５％を使って排水を汲み上げてタンク１に還元し７５％の揚水圧力に因り発電機２１を稼働して持続的に水量を保持し循環して未知の動力を創出している。
【００２４】
本発明は陸地に設置したタンク１の水圧力と、外の大気圧約１ｋｇ・の差圧を異口径のメーンピストン５・５Ａ及び背面ピストン６・６Ａの表面積に受ける圧力比率によって揚水と排水に分流して、大口径メーンピストン５・５Ａを水圧側に、小口径背面ピストン６・６Ａを大気圧側の排水に使用するようになっており、メーンピストン５・５Ａの圧力で揚水して動力を得るようになり、背面ピストン６・６Ａは残水（排水）を大気圧下に放流し、排水槽３Ａに溜めた後メーンピストン５・５Ａの圧力で汲み上げるが、位置エネルギーを利用した場合には揚水に１３０％の動力（電力）を要し限られた水量では持続しないのに対して、本発明の水中エネルギーの場合は２５％の負荷で済み１００％の水量を保持しており、揚水に係る動力の違いを明確にしている。
【００２５】
一旦排水した水は回収してタンク１に戻すようになるが、タンク水面１Ｂに限らずタンク１水圧０．５ｋｇｆ／ｃｍ２を上回る汲み上げポンプ４Ｂを活用して、水中に直に注入してタンク１の水位を減少することなく水の循環を可能にしている。（参考例）
【００２６】
発明第２は、電動揚水ポンプ４Ｄ７８０ｗ／ｈを活用して、前記同様に背面ピストン表面２３・２３Ａの残水を回収しタンク１水面１Ｂに戻すようになるが、タンク１の水圧０．５ｋｇｆ／ｃｍ２の水中に直に注入してタンク１の水位を減少することなく水の循環を可能にしている。
【００２７】
而して、メーンピストン５・５Ａを連結するアーム７は、揚水と水圧均衡の一致を測り双方ピストン５・５Ａ・６・６Ａの往復運動を円滑にし、アーム７の長さは、ねじゲージ４１によって上死点３６下死点２７の微調整を可能にして、異口径ピストンの比率又はストロークの拡大により大規模化を可能にしており、水深５メートルのタンク１に限定するものではない。
【００２８】
本発明は、異口径のピストン５・６によって実現するのであって、タンク１水底の静圧力域のメーンピストン５と５Ａの向き合った間に、双方の動作によって生じる押圧力を、油圧ポンプ８に受けて往復運動に生じる媒体は操作ピストン２４・２４Ａ及び揚水切換弁１２・１２Ａと大気圧開閉弁１９を作動して揚水又は排水の流れを交互に変換している。
【００２９】
該、原動機の「始動」は、水圧均衡バルブ２６・２６Ａを閉めて（運転中は閉める）、大気圧バルブ２５・２５Ａを開くことによって（運転中は開く）、大気圧開閉弁１９の開いた方の背面ピストン６・６Ａの残水を排水し、水圧を受けているメーンピストン５・５Ａが大気圧方向に移動して往復運動を開始する。
【００３０】
「停止」は、水圧均衡バルブ２６・２６Ａを開いて、タンク１の水圧と背面ピストン６・６Ａ表面の水圧を釣り合わせて、大気圧バルブ２５・２５Ａを閉めて（運転中は開いている）、外気圧を遮断して行う。
【００３１】
媒体油圧は、ピストン架台に固定した油圧ポンプ８をメーンピストン５・５Ａのピストンヘッド９・９Ａと油圧ロッド２８・２８Ａのロッド末端３９・３９Ａを使って押し出すようになる。
【００３２】
また、油圧ポンプ８の可動軸２９を連動枠３０に備えて、対側のメーンピストン５・５Ａの何れか下死点２７・２７Ａに至るまで、ばね軸３８の付勢によって維持し、ピストンヘッド９・９Ａの接点変換で油圧ピストン８Ａを往復させて、媒体４２は操作ピストン２４・２４Ａと揚水切換弁１２・１２Ａと大気圧開閉弁１９を動作している。
【実施例】
【００３３】
図１は、分散電源を図る地域社会に対応したタンク１の設置状況を示すものであり、電気化社会を実現している。
【００３４】
図２は、タンク１及び異口径ピストンの断面を示しており、右側のメーンピストン５Ａはピストンヘッド９Ａによって油圧ロッド２８Ａを押したあと油圧ピストン８Ａに生じる油圧媒体４２を操作ピストン２４・２４Ａに与えて、揚水切換弁１２・１２Ａと大気圧開閉弁１９を動作し下死点２７Ａに到達している、左側のメーンピストン５は揚水を終了し背面ピストン６は排水を終了して上死点３６に到達している。（参考例）は水の流れを示す。
【００３５】
左側の揚水切換弁１２と大気圧開閉弁１９左路は上死点到達の直前に遮断しており、圧力がほぼゼロのメーンピストン裏面２２と背面ピストン表面２３に、水圧浸入口３３から水圧均衡路１１・揚水路１４（逆向）の水圧がかかり、このあとメーンピストン５背面ピストン６は均衡方向の右へ移動し、タンク１水圧を受け入れる態勢。
【００３６】
右側は、揚水切換弁１２Ａと大気圧開閉弁１９右路が大気圧に開放しており、メーンピストン５Ａと背面ピストン６Ａは次の動作態勢で、メーンシリンダ１６Ａに残っている圧力水はこのあと揚水し、片方の背面ピストン６Ａの残水は大気排水パイプ１７Ａから、大気圧開閉弁１９右路を通過して排水管３４を下り勾配により一工程分２００００ｃｍ３の水を外部の排水槽３Ａに溜める。
【００３７】
排水槽３Ａに溜まる水は、揚程約１０メートルの揚水タービン４の回転軸４Ａに出力の約２５％を掛け汲み上げポンプ４Ｂを起動して吸水パイプ４Ｃから吸引し、汲み上げパイプ３により水面１Ｂに還元してタンク１水量を保持する。
【００３８】
他方、揚水パイプ１５の水は、揚水タービン４を起動したあとタンク１上部のタービン２０を出力の約７５％の圧力を使って駆動して発電機２１の稼働後に揚水の一工程分４８００００ｃｍ３の水をタンク１に還元してタンク１水量を保持する。
【００３９】
図３は、図２の動向を示すものであって、左側のメーンピストン５の裏面２２と背面ピストン６の表面２３には、水圧浸入口３３の水圧が均衡路１１及び揚水路１４を通じて浸入を開始しており、図の左から右へ動いて、油圧ロッド２８を押し戻し、油圧ピストン８Ａを起動して（点線方向）、下死点２７到達時に水中圧力と均衡する。
【００４０】
片方のメーンピストン５Ａ裏面２２Ａの圧力水と背面ピストン６Ａの残水は、水中圧力に押されたメーンピストン５Ａによって揚水路１４Ａと揚水道１３Ａを通じた揚水は揚水タービン４を起動したあと上部のタービン２０と発電機２１を駆動すると同時に背面ピストン６Ａの排水を開始しており、図の右側が加圧に対して、左側はタンク１の水圧に均衡する。
【００４１】
さらにタンク１の水中圧力はメーンピストン５Ａの揚水の動作と同時に背面ピストン頭部１８Ａに連繋した大気排水パイプ１７Ａと大気圧開閉弁１９右路を通じて、タンク１外部の大気圧に背面ピストン６Ａの残水を排水管３４により自然排水して排水槽３Ａに溜めて、前記のように汲み上げポンプ４Ｂ汲み上げパイプ３によりタンク１に回収する。（参考例）はタンク１の底部に直に排水を注入している。
【００４２】
図４は、本発明第２のもので排水槽３Ａに溜まった水の汲み上げに、電動揚水ポンプ４Ｄを活用して、本発明に係る発電機２１の出力３．１ｋｗ／ｈのうち７８０ｗ／ｈを使用するもので、揚水タービン４を装備せず、背面ピストン６・６Ａの一工程分２００００ｃｍ３の水を全量汲み上げパイプ３を通じてタンク１水面１Ｂに還元し水量を保持する。（参考例）はタンク１の底部に直に排水を注入している。
【００４３】
図５は、揚水切換弁１２の拡大図（左）を示すが、揚水切換弁１２内蔵の閉子ギヤ４４と操作ピストンギヤ４３を噛み合わせて、揚水と、均衡の変換を行うが、タンク１の水圧は本体の閉子４５の貫通口（一点鎖線）は水圧浸入口３３と均衡路１１と揚水路１４に通じており、揚水道１３と揚水パイプ１５を遮断して均衡の作動状態を示している。
【００４４】
即ち、タンク１の水圧は水圧浸入口３３より均衡路１１を通り背面ピストン６表面２３へ、揚水路１４は揚水とは逆方向のメーンピストン５裏面２２へ浸入し、双方ピストン５・６は水圧に均衡する。したがって、揚水切換弁１２Ａにおいては揚水パイプ１５Ａが開通して、均衡路１１Ａは閉まっており左右対称の動きになって、交互に変換して揚水と均衡を連続するようになる。
【００４５】
図６は、油圧ポンプ８の拡大図を示すものである。油圧ポンプ８本体と固定軸３７は不動のものでピストン架台に取り付け油圧ピストン８Ａと油圧ロッド２８・２８Ａとポンプ枠３０は一体に連動して、ピストンヘッド９Ａによって油圧ロッド末端３９Ａを押して、油圧ピストン８Ａの油圧媒体４２は操作ピストン２４・２４Ａと揚水切換弁１２・１２Ａと大気圧開閉弁１９を起動するように成る。
【００４６】
油圧ロッド２８・２８Ａには油圧ピストン８Ａと動向の可動軸２９を枠３０中央に備えて、側面のピストン架台に取り付けた固定軸３７とばね軸３８の付勢によって、動きに応じて押しつけるようになっており、図では左へばね力で固定して次の作動の間隙を維持している。
【００４７】
また、メーンピストン５Ａに取り付けたアーム７は、双方ピストンの往復運動を微調整可能にしており、ジョイント４０はアーム７の硬直性の緩和を図り、ピストン間の距離を取るねじゲージ４１を備えて動作を円滑にして連続運転する。
【符号の説明】
【００４８】
１   ・・・   タンク                    １Ａ  ・・・   天板
１Ｂ  ・・・   水面                      １Ｃ  ・・・   タンク外壁
２   ・・・   上水道                    ２Ａ  ・・・   ボールタップ
３   ・・・   汲み上げパイプ            ３Ａ  ・・・   排水槽
３Ｂ  ・・・   逆止弁                    ４   ・・・   揚水タービン
４Ａ  ・・・   回転軸                    ４Ｂ  ・・・   汲み上げポンプ
４Ｃ  ・・・   吸水パイプ                ４Ｄ  ・・・   電動揚水ポンプ
５   ・・・   メーンピストン            ５Ａ  ・・・   メーンピストン
６   ・・・   背面ピストン              ６Ａ  ・・・   背面ピストン
７   ・・・   アーム
８   ・・・   油圧ポンプ                ８Ａ  ・・・   油圧ピストン
９   ・・・   ピストンヘッド            ９Ａ  ・・・   ピストンヘッド
１０   ・・・   ピストンケーシング
１１   ・・・   水圧均衡路              １１Ａ  ・・・   水圧均衡路
１２   ・・・   揚水切換弁              １２Ａ  ・・・   揚水切換弁
１３   ・・・   揚水道                  １３Ａ  ・・・   揚水道
１４   ・・・   揚水路                  １４Ａ  ・・・   揚水路
１５   ・・・   揚水パイプ              １５Ａ  ・・・   逆止弁
１５Ｂ  ・・・   逆止弁                  
１６   ・・・   メーンシリンダ          １６Ａ  ・・・   メーンシリンダ
１７   ・・・   大気排水パイプ          １７Ａ  ・・・   大気排水パイプ
１８   ・・・   背面ピストン頭部        １８Ａ  ・・・   背面ピストン頭部
１９   ・・・   大気圧開閉弁
２０   ・・・   タービン
２１   ・・・   発電機
２２   ・・・   メーンピストン裏面      ２２Ａ  ・・・   メーンピストン裏面
２３   ・・・   背面ピストン表面        ２３Ａ  ・・・   背面ピストン表面
２４   ・・・   操作ピストン            ２４Ａ  ・・・   操作ピストン
２５   ・・・   大気圧バルブ            ２５Ａ  ・・・   大気圧バルブ
２６   ・・・   水圧均衡バルブ          ２６Ａ  ・・・   水圧均衡バルブ
２７   ・・・   下死点                  ２７Ａ  ・・・   下死点
２８   ・・・   油圧ロッド              ２８Ａ  ・・・   油圧ロッド
２９   ・・・   可動軸
３０   ・・・   油圧ポンプ連動枠
３１   ・・・   水抜きバルブ
３２   ・・・   大気圧開放口
３３   ・・・   水圧浸入口              ３３Ａ  ・・・   水圧浸入口
３４   ・・・   排水管
３５   ・・・   送電線                  ３５Ａ  ・・・   配線
３５Ｂ  ・・・   アース
３６   ・・・   上死点
３７   ・・・   固定軸
３８   ・・・   ばね軸
３９   ・・・   油圧ロッド末端          ３９Ａ  ・・・   油圧ロッド末端
４０   ・・・   ジョイント
４１   ・・・   ねじゲージ
４２   ・・・   油圧媒体
４３   ・・・   操作ピストンギヤ        ４３Ａ  ・・・   操作ピストンギヤ
４４   ・・・   閉子ギヤ
４５   ・・・   閉子
４６   ・・・   閉子軸
【図１】
2017133363.tif 000003
【図２】
2017133363.tif 000004
【図３】
2017133363.tif 000005
【図４】
2017133363.tif 000006
【図５】
2017133363.tif 000007
【図６】
2017133363.tif 000008
【手続補正書】
【提出日】平成28年5月26日(2016.5.26)
【手続補正１】
【補正対象書類名】特許請求の範囲
【補正対象項目名】請求項１
【補正方法】変更
【補正の内容】
【請求項１】
上部開放のタンク１に溜まる水中エネルギーを動力源とした静圧力域にアーム７連結の異口径、メーンピストン５・５Ａと背面ピストン６・６Ａ、及び油圧ポンプ８を装置し、油圧ポンプ８本体と固定軸３７は不動で、油圧ピストン８Ａと油圧ロッド２８・２８Ａと油圧ポンプ連動枠３０は一体に連動し、メーンピストン５・５Ａのピストンヘッド９・９Ａに因って油圧ロッド２８・２８Ａを往復起動し、油圧媒体で操作ピストン２４・２４Ａと揚水切換弁１２・１２Ａと大気圧開閉弁１９左路・右路を動作して、揚水切換弁１２・１２Ａに因る揚水道１３・１３Ａの揚水と水圧均衡路１１・１１Ａの均衡を交互に変えて、メーンピストン５・５Ａ背面ピストン６・６Ａを往復運動に変換し、メーンピストン５・５Ａに生じた揚水圧力の７５％は揚水パイプ１５を通じてタンク１天板１Ａ上部のタービン２０を駆動し、発電機２１の稼働後にタンク１に環流するとともに、背面ピストン６・６Ａの残水は大気圧開閉弁１９に因る排水を下り勾配の排水管３４を通じてタンク１外部に放出し、排水槽３Ａに溜めて、揚水圧力の２５％で揚水パイプ１５に装備した揚水タービン４を起動し、排水をタンク１に還元して、水量を保持し水の循環に基づいて、発電機２１の稼働を持続するタンク水中圧力原動機。
【手続補正２】
【補正対象書類名】特許請求の範囲
【補正対象項目名】請求項２
【補正方法】変更
【補正の内容】
【請求項２】
請求項１に記載のタンク水中圧力原動機に係る排水の回収に、異口径ピストンを機軸にした、メーンピストン５・５Ａおよび背面ピストン６・６Ａに生じる動力に因って稼働する発電機２１の電力を活用して、電動揚水ポンプ４Ｄを起動し排水槽３Ａの水をタンク１に還元して、水量を保持し水の循環に基づいて、発電機２１の稼働を持続するタンク水中圧力原動機。
【手続補正書】
【提出日】平成28年11月10日(2016.11.10)
【手続補正１】
【補正対象書類名】図面
【補正対象項目名】全図
【補正方法】変更
【補正の内容】
【図１】
2017133363.tif 000009
【図２】
2017133363.tif 000010
【図３】
2017133363.tif 000011
【図４】
2017133363.tif 000012
【図５】
2017133363.tif 000013
【図６】
2017133363.tif 000014